(57)【特許請求の範囲】
【請求項１】
ヒーターを有する焼成室と、前記焼成室内に着脱自在に装着しうる焼き網と、前記焼成室内の温度を検知する温度検知部と、温度検知部の温度上昇を検知して調理物の量を推定し、調理物の量と調理プロセスに従って前記ヒーターを制御する制御部と、調理プロセスを選択する操作部と選択した調理プロセスを表示する表示部とを有し、加熱切／入キーの操作により選択可能なメニューが表示され、その内の１つが選択された状態となり、その後一定時間の間のみメニューキーによるメニュー選択が可能であり、その後キー操作がなければ一定時間後に選択されたメニューの調理プロセスがスタートする加熱調理器。
【請求項２】
加熱切／入キー操作により最初に選択されるメニューは手動メニューである請求項１記載の加熱調理器。
【請求項３】
制御部は調理したメニューを記憶するための記憶部を有し、加熱切／入キー操作により最初に選択されるメニューは前記記憶部より取り出した前回調理したメニューである請求項１記載の加熱調理器。
【請求項４】
制御部は調理したメニューと夫々のメニューの調理回数を記憶するための記憶部を有し、加熱切／入キー操作により最初に選択される調理メニューは前記記憶部より取り出した調理メニューの中で最も使用頻度の高いメニューである請求項１記載の加熱調理器。
【発明の詳細な説明】
【０００１】
【発明の属する技術分野】
本発明は一般家庭で使用する加熱調理器に関するものである。
【０００２】
【従来の技術】
以下に、従来例の加熱調理器について説明する。図１はキッチンに組み込まれた加熱調理器の斜視図であり、１は鍋などを加熱するための左バーナ、２は右バーナ、３は中バーナ、４は魚等を焼くためのロースター、５は調理器全体の電源を切り入りする電源スイッチ、６は操作部、７は操作部の中に有って機器の状態を表示する表示部、８は操作部の中に有るキースイッチであり、９は電源スイッチを入りにした時に点灯する電源ランプ、１０は機器の切／入スイッチを入れて調理を開始した時に点灯する調理中ランプである。
【０００３】
図２はこの加熱調理器の内部を示す断面を示した概略図であり、１１はヒーター、１２は焼き網、１３は内部温度を検知する温度検知部、１４は温度検知部１３と操作部６からの情報により表示部７に状態を表示したりヒーター１１を制御したりする制御部である。
【０００４】
図３はこの加熱調理器の操作部６のみを表した部分図であり、１５は左バーナ１の状態を表示する左表示部、１６は中バーナ３とロースター４の状態を表示する中表示部、１７は右バーナ２の状態を表示する右表示部、１８はロースターの手動調理と自動調理の各種のメニューを選択するためのメニューキー、１９はロースターの手動調理で調理時間を設定する分キー、２０は分キーで設定した時間を取消する取消キー、２１は強中弱の表示により火力を弱めるダウンキー、２２は火力を強めるアップキー、２３はロースターの停止中に押した時は調理を開始し、ロースターの調理中にこれを押した時は停止するロースター切／入キー、２４は中バーナを入り切りする中バーナ切／入キーである。
【０００５】
ロースターの自動調理は「姿焼き」「切り身」「つけ焼き」の調理メニューが有り、ロースター内に設置された温度検知部の温度上昇を検知して調理物の量を推定し、調理物の量と調理メニュー毎の調理プロセスに従ってヒーターを制御する。
【０００６】
また、手動調理はヒーターを単に一定電力で通電するもので、強、中、弱の火力設定とタイマーによる時間設定は可能になっている。他のキーの説明は省略する。
【０００７】
以上のように構成された加熱調理器において、従来は図８に示すフローチャートの様に、ロースター調理を行うとき、複数のメニューの中から一つのメニューを選択する場合、まずメニューキーによりメニューを選択した後に切／入キーの操作により調理を開始するというものであった。
【０００８】
【発明が解決しようとする課題】
しかし、このような方法ではキー操作の回数が多く、また、使用する調理器が複数の調理器のうちのひとつである場合、他の調理器との整合性も考えた時この調理器を使うという意図が最初のキー操作で明確でなく、使い勝手の悪いものとなった。
【０００９】
そこで、本発明はクッキングヒーターに取り付けられたロースターの様に複数の調理器具の中のひとつの調理器であり、自動調理を含む複数の調理メニューを有する加熱調理器である場合その加熱調理器の切／入キーをまず操作した後にメニューを選択する事によりキー操作の回数を減らすと共に、最初の操作でこの加熱調理器を使うという意図が明確になり、使い勝手を良くすることを目的とする。
【００１０】
【課題を解決するための手段】
この課題を解決する為に、本発明の加熱調理器は、焼成室内の温度を検知する温度検知部と、温度検知部の温度上昇を検知して調理物の量を推定し、調理物の量と調理プロセスに従って前記ヒーターを制御する制御部と、調理プロセスを選択する操作部と選択した調理プロセスを表示する表示部とを有し、加熱切／入キーの操作により選択可能なメニューが表示され、その内の１つが選択された状態となり、その後一定時間の間のみメニューキーによるメニュー選択が可能であり、その後キー操作がなければ一定時間後に選択されたメニューの調理プロセスがスタートするようにしたものである。
【００１１】
これによって、加熱切／入キーを最初に操作することでこの調理器を使用するという意図が明確になり、他の調理器の操作とも整合がとれキー操作の回数も減って使い勝手が良くなる。
【００１２】
【発明の実施の形態】
請求項１に記載の発明は、ヒーターを有する焼成室と、前記焼成室内に着脱自在に装着しうる焼き網と、前記焼成室内の温度を検知する温度検知部と、温度検知部の温度上昇を検知して調理物の量を推定し、調理物の量と調理プロセスに従って前記ヒーターを制御する制御部と、調理プロセスを選択する操作部と選択した調理プロセスを表示する表示部とを有し、加熱切／入キーの操作により選択可能なメニューが表示され、その内の１つが選択された状態となり、その後一定時間の間のみメニューキーによるメニュー選択が可能であり、その後キー操作がなければ一定時間後に選択されたメニューの調理プロセスがスタートすることにより、加熱切／入キーを最初に操作することでこの調理器を使用するという意図が明確になり、他の調理器の操作とも整合がとれキー操作の回数も減って使い勝手を良くすることができるという作用を有する。
【００１３】
請求項２に記載の発明は、加熱切／入キー操作により最初に選択されるメニューを手動メニューとすることにより、一般的に使用頻度が最も高いと考えられる手動メニューを一回のキー操作で調理スタートできるという作用を有する。
【００１４】
本発明の請求項３に記載の発明は、調理したメニューを記憶するための記憶部を有し、加熱切／入キー操作により最初に選択されるメニューは記憶部より取り出した前回調理したメニューであることにより、使用頻度が高いと考えられる前回調理したメニューを一回のキー操作で調理スタートができるという作用を有する。
【００１５】
本発明の請求項４に記載の発明は、前記制御部は調理したメニューの調理回数を記憶するための記憶部を有し、加熱切／入キー操作により最初に選択されるメニューは前記記憶部より取り出した調理メニューの中で最も使用頻度の高いメニューであることにより、使用頻度が最も高いと考えられる調理メニューを一回のキー操作で調理スタートできるという作用を有する。
【００１６】
【実施例】
（実施例１）
以下本発明の実施例について、図面を参照しながら説明する。図１、図２及び図３は従来例で説明したものと同じなので説明を省略する。
【００１７】
図５は本発明の請求項１および２の実施例のフローチャートであり、これらの図に従って説明する。図１の電源スイッチ５を入りにすると電源ランプ９が点灯し機器全体に通電される。ロースター４を使用する場合、ロースター切／入キー２３（または加熱切／入キー）を押すと図３に示すように表示部１６が点灯し、三角印が付いた手動メニューが選択された状態で他の選択可能なメニューが表示される。このまま手動メニューを選択する場合は８秒後に手動調理が自動的にスタートする。
【００１８】
ここで、加熱切／入キーを操作して８秒後に調理スタートする理由は、調理メニューが自動調理でありロースター内の温度検知部の温度上昇によって調理物の大きさを判断しそれによって火力や調理時間を制御しているため、メニューの選択が終了していない間にヒーターに通電されれば温度上昇の判断が正確にできないため、メニュー選択を行う８秒間はヒーターに通電せず、８秒経った後はメニュー選択ができない様にする。そのために、８秒経った後にはヒーターに通電が開始されると同じに表示部１６の選択されたメニュー以外のメニューを消灯するようになっている。この８秒間の遅延時間を設けた事により、加熱切／入キーを最初に押した後にメニューキーの操作が可能になり、使い勝手が向上した。ここで、遅延時間の８秒は５秒から１０秒の間であれば適当である。火力を調節する場合やタイマーを設定する場合はアップダウンキー２１，２２や分キー１９を操作する。
【００１９】
これによってロースター切／入キー２３（加熱切／入キー）を最初に押すことで、一般的に使用頻度の多い手動メニューの場合１回のキー操作で調理をスタートする事ができる。
【００２０】
（実施例２）
図６は本発明の請求項３の実施例のフローチャートであり、これらの図に従って説明する。
【００２１】
図１の電源スイッチ５を入りにすると電源ランプ９が点灯し機器全体に通電される。ロースター４を使用する場合、ロースター切／入キー２３を押すと図４に示すように表示部１６が点灯し、三角印が付いた姿焼きメニューが選択された状態で他の選択可能なメニューが表示される。
【００２２】
この時、姿焼きメニューは前回調理したメニューであり制御部内の記憶部に記憶されていたものである。ただし、前回の調理がない最初の調理の場合は手動メニューが選択される。
【００２３】
このまま姿焼きメニューを選択する場合は８秒後に姿焼き調理が自動的にスタートする。火力を調節する場合はアップダウンキー２１，２２を操作する。
これによってロースター切／入キー２３を最初に押すことで、一般的に使用頻度の多い手動メニューの場合１回のキー操作で調理をスタートする事ができる。
【００２４】
（実施例３）
図７は本発明の請求項４の実施例のフローチャートであり、これらの図に従って説明する。
【００２５】
図１の電源スイッチ５を入りにすると電源ランプ９が点灯し機器全体に通電される。ロースター４を使用する場合、ロースター切／入キー２３を押すと図４に示すように表示部１６が点灯し、三角印が付いた姿焼きメニューが選択された状態で他の選択可能なメニューが表示される。
【００２６】
この時、姿焼きメニューは、制御部内の記憶部に記憶されていた過去５回の調理で最も使用頻度が高いメニューである。ただし、前回の調理がない最初の調理の場合は手動メニューが選択される。
【００２７】
このまま姿焼きメニューを選択する場合は８秒後に姿焼き調理が自動的にスタートする。火力を調節する場合はアップダウンキー２１，２２を操作する。
これによってロースター切／入キー２３を最初に押すことで、一般的に使用頻度の多い手動メニューの場合１回のキー操作で調理をスタートする事ができる。
【００２８】
【発明の効果】
以上のように、本発明によれば、加熱切／入キーを最初に操作することでこの調理器を使用するという意図が明確になり、他の調理器の操作とも整合がとれキー操作の回数も減って使い勝手が良くなるという効果が得られる。
【図面の簡単な説明】
【図１】本発明の実施例における加熱調理器の斜視図
【図２】本発明の実施例における加熱調理器の断面概略図
【図３】本発明の実施例における加熱調理器の操作部の部分図
【図４】本発明の他の実施例における加熱調理器の操作部の部分図
【図５】本発明の実施例における加熱調理器のフローチャート
【図６】本発明の他の実施例における加熱調理器のフローチャート
【図７】本発明の他の実施例における加熱調理器のフローチャート
【図８】従来例における加熱調理器のフローチャート
【符号の説明】
４  ロースター
６  操作部
７  表示部
１１  ヒーター
１２  焼き網
１３  温度検知部
１４  制御部
１８  メニューキー
２３  加熱切／入キー（またはロースターキー）
【図１】
0003620430.tif 000002
【図２】
0003620430.tif 000003
【図３】
0003620430.tif 000004
【図４】
0003620430.tif 000005
【図５】
0003620430.tif 000006
【図６】
0003620430.tif 000007
【図７】
0003620430.tif 000008
【図８】
0003620430.tif 000009